(57)【要約】【課題】  本発明は地盤面上に形成される植生層への鹿の侵入を防止することを課題とする。【解決手段】  地盤面１を植生基盤層４で被覆し、該植生基盤層４の表面全体または周囲を径１６mm以下の網目の上側金網５で被覆し、その上からアンカーピン６で固定する。上記上側金網５上に鹿が乗ると鹿が滑って歩くことが出来なくなる。【選択図】  図５
2005155244.tif 000002
【特許請求の範囲】
【請求項１】
地盤面を植生基盤層で被覆し、該植生基盤層の表面全体または周囲を径１６mm以下の網目の上側金網で被覆し、その上からアンカーピンで固定したことを特徴とする地盤面の緑化構造。
【請求項２】
該植生基盤層表面には上側植物繊維ネットが被覆され、その上から該上側金網が被覆されている請求項１に記載の地盤面の緑化構造。
【請求項３】
該植生基盤層には鹿忌避剤が混入されている請求項１または２に記載の地盤面の緑化構造。
【請求項４】
該上側植物繊維ネットおよび／または上側金網には鹿忌避剤が塗布されている請求項１〜３に記載の地盤面の緑化構造。
【請求項５】
該地盤面に下側金網および／または下側植物繊維ネットを被覆してアンカーピンで固定した上に植生基盤層が被覆される請求項１〜４に記載の地盤面の緑化構造。
【請求項６】
該上側金網は亀甲金網である請求項１〜４に記載の地盤面の緑化構造。
【請求項７】
該下側金網は菱形金網である請求項５に記載の地盤面の緑化構造。
【請求項８】
該地盤面は傾斜している請求項１〜７に記載の地盤面の緑化構造。
【発明の詳細な説明】
【技術分野】
【０００１】
本発明は特に傾斜している地盤面を植生層により保護する地盤面の緑化構造に関するものである。
【背景技術】
【０００２】
傾斜している地盤面には地盤崩落を防止するために植生層を被覆して緑化し保護する。
従来の緑化工法としては、地盤面に下側金網を被覆するかまたは被覆することなく、その上から土壌、種子、土壌改良剤等の混合物を吹付けて植生基盤層を形成し、その上から上側金網を被覆するかあるいはヤシ繊維マットを被覆した上で上側金網を被覆し、該上側金網をアンカーピンで固定する方法が採られている（例えば特許文献１参照）。
上記上側金網としては、通常網目の径２６mmまたは４０mmの亀甲金網が使用される。
【０００３】
【特許文献１】特公昭５８−２２９５号公報（図１、図２）
【発明の開示】
【発明が解決しようとする課題】
【０００４】
最近、全国的に鹿の生息数が増加しており、鹿が植生層に入り込んで、植生層を踏荒したり、食い荒したりする被害が激増している。鹿によって踏荒されたり、食い荒されたりした植生層を補修することは、山間地では非常に困難が伴う。
【課題を解決するための手段】
【０００５】
本発明は上記従来の課題を解決するための手段として、地盤面(1) を植生基盤層(4) で被覆し、該植生基盤層(4) の表面全体または周囲を径１６mm以下の網目の上側金網(5) で被覆し、その上からアンカーピン(6) で固定した地盤面(1) の緑化構造を提供するものである。
該植生基盤層(4) 表面には上側植物繊維ネットが被覆され、その上から該上側金網(5) が被覆されていてもよい。
該植生基盤層には鹿忌避剤が混入されていることが望ましく、更に該上側植物繊維ネットおよび／または上側金網(5) にも鹿忌避剤が塗布されていることが望ましい。また該地盤面(1) に下側金網(2) および／または下側植物繊維ネットを被覆してアンカーピン(3) で固定した上に植生基盤層(4) が被覆されてもよい。通常該上側金網(5) は亀甲金網であり、該下側金網(2) は菱形金網であることが望ましい。
本発明の緑化構造は、特に傾斜した地盤面(1) に有用に適用される。
【発明の効果】
【０００６】
したがって本発明においては地盤面に形成した植生基盤層を上側金網によって被覆するから、植生層内に鹿が侵入して、該植生層が鹿によって踏荒されても食い荒されることが確実に防止される。
【発明を実施するための最良の形態】
【０００７】
以下に本発明を詳細に説明する。
〔傾斜地盤面〕
本発明は特に無土壌地、岩石地、石礫岩塊地、マサ風化地、シラス地、痩地、あるいは土壌硬度の高い地盤等の脆弱構造を有するかあるいは植生に適さない地盤の急傾斜地盤面に適用されて有用であるが、特にこれ等に限るものではなく、本発明は一般的な傾斜地盤面、または傾斜していない地盤面にも当然適用されるものである。
上記地盤面には直接植生基盤層が形成被覆されてもよいし、また下側金網および／または下側植物繊維ネットを被覆した上で該植物基盤層が形成被覆されてもよい。該下側金網や下側植物繊維ネットはアンカーピンによって地盤面に固定され、傾斜地盤面における地盤崩落を直接防止するためと、該下側金網や下側植物繊維ネット上に形成される植生基盤層を保持するための目的で使用される。
【０００８】
〔下側金網〕
下側金網としては大径の線材を使用した菱形金網を選択する。菱形金網は亀甲金網やクリンプ金網に比して大径の線材を使用することが容易であり、大径の線材を使用すれば金網の強度および耐久性が向上し、地盤崩落防止が確実に出来るようになるし、また菱形金網においては厚みが大きくなり、下側に位置する線材が地盤面に密着しても上側に位置する線材は地盤面から浮いた状態になっており、このような浮いた状態の線材の食い込み効果によって植生基盤層が容易かつ強固に保持されるのである。更に菱形金網はコンパクトに畳むことが出来るので、重量物であっても足場の悪い急斜面でも取扱いが容易となる。該下側金網に用いられる線材としては鋼鉄線あるいは耐久性を考慮して亜鉛メッキ線材等が用いられる。
【０００９】
〔植物繊維ネット〕
植物繊維ネットに使用される植物繊維としては主としてヤシ繊維があるが、その他麻繊維、ケナフ繊維、竹繊維等が使用されてもよい。上記植物繊維ネットとしては、通常平織りで網目の径が２０〜３０mm程度のものが使用される。
【００１０】
〔地盤面に対する金網またはネットの被覆〕
上記地盤面に上記金網または上記ネットを被覆してアンカーピンにて固定する。その上からモルタル接着剤を吹付けてもよい。該モルタル接着剤は特に地盤が無土壌地、岩石地、石礫岩塊地等で礫や岩の滑落によって斜面の崩落を起し易い脆弱構造を有する時には有効であり、この場合、該モルタル接着剤は特に金網またはネットのアンカーピン固定点や金網またはネットの岩石被覆部分に重点的に吹付けて、該金網あるいはネットとアンカーピンあるいは岩石との接着固定を図ったり、金網またはネットの下側の礫表面に金網またはネットを介して吹付け、礫相互を接着固定したりする。マサ風化地、シラス地、痩地、あるいは土壌硬度の高い地盤等であって植生には不適であっても斜面の崩落のおそれのない地盤では、金網またはネットで被覆してアンカーピンで固定するだけで充分であるが、金網の場合にはモルタル接着剤を金網の上から薄く吹付けておけば、金網の腐蝕を防止するためには好ましい。
【００１１】
〔植生基盤層〕
本発明の植生基盤層は一般に天然土壌、あるいはバーク堆肥、オガクズ堆肥、コンポスト、ピートモス等の人工土壌、あるいは該天然土壌、該人工土壌の二種以上の混合土壌等の土壌と種子との混合物を主体とするものであり、更に該混合物にはｐＨ調節剤、通気通水性改良剤、増粘剤、保水剤、土壌団粒化剤、侵食防止剤、養生剤、肥料等の土壌改良剤を該土壌の性質に対応して用いる。しかしながら本発明においては後記するように該植生基盤層上には上側植物繊維ネットや上側金網が被覆される場合があり、その場合には該植生基盤層流出防止手段としての侵食防止剤や養生剤の添加は省略するか極く僅かにされてよい。該侵食防止剤や養生剤の多量の添加は該植生基盤層の構造を緻密にして植生を阻害するものである。また植生基盤層としては天然土壌や人工土壌を使用せず、種子と肥料との混合物が用いられてもよい。
上記植生基盤層に使用される種子としては植生初期における土壌安定化や郷土植生の侵入を考慮して種類を選択することが望ましく、更にこのような選択された種類を数種類混合して使用することが望ましい。
上記植生基盤層は通常上記混合物を地盤面に直接あるいは下側金網またはネットで被覆した地盤面上に吹付けることによって形成されるが、一回の吹付けで所望の厚さの植生基盤層が得られない場合は数回に分けて吹付けを行なってもよい。また上記植生基盤層は上記混合物からなる均一構造を取ってもよいが、組成や混合比率の異なる複数層構造にされてもよい。例えばある種の土壌改良剤により種子に対する薬害が想定される場合には種子を混合する層には害となる土壌改良剤を混合しないようにしておく。
【００１２】
〔上側植物繊維ネット〕
上記のようにして形成された植生基盤層には上側植物繊維ネットが被覆されてもよい。前記したように該ネットは通常２０〜３０mm径の網目のものが使用され、従来のヤシ繊維マットに代わって該植生基盤層を保護し、外部から飛来する種子を係留定着させるものであり、該マットは該ヤシ繊維マットと比べると双葉を展開する木本類等の芽が容易に通り抜けることが出来る。
【００１３】
〔上側金網〕
上記繊維絡合層上には上側金網が被覆され、そして該上側金網はアンカーピンによって地盤面に固定される。該上側金網は上記植物繊維ネットを上から押えて植生基盤層との間に隙間がないように密着させかつ植生緑化が進行して植物繊ネットが崩壊した時に崩壊物が飛散することを防止するものであり、同時に鹿が植生層上に侵入することを防止するものである。該上側金網は強度は必要でなく柔軟性があって地盤面の凹凸になじみ易いものが望ましく、その点からみれば亀甲金網は本発明の上側金網として望ましいものである。鹿の侵入を防ぐためには鹿の蹄が網目に入り込まないような小径の網目のものが望ましい。そこで上側金網としては図１に示す網目の径ｄは１６mm以下、望ましくは１４mm以下、更に望ましくは１２mm以下のものを使用する。但し金網の可撓性の点からみて、網目の径ｄは５mm以上、望ましくは７mm以上であることが望ましい。このような径の網目を有する金網上に鹿が乗った場合には、蹄が網目に入り込まず、その結果鹿は滑って歩くことが出来なくなる。該上側金網の線材としては鋼鉄線、あるいは耐久性を考慮して亜鉛メッキ線材、プラスチック被覆線材等が用いられ、線径は０．５〜０．９mm程度とされる。
上記上側金網と上記植物繊維ネットとを予め接着しておいて巻物としておけば現場にて施工の際、植物繊維ネットの被覆と上側金網との被覆とが一工程で出来るし、植物繊維ネットが金網により補強されるので取扱いが容易になる。該上側金網は植生層の表面全体または周囲のみに被覆されてもよい。周囲のみに被覆する場合には金網巾は３〜７ｍ、望ましくは４〜６ｍ程度とする。
【００１４】
〔モルタル接着剤〕
モルタル接着剤はセメントと天然ゴムラテックス、スチレンブタジエンゴムラテックス、ネオプレンゴムラテックス等の合成ゴムラテックス、アクリル樹脂エマルジョン、酢酸ビニル樹脂エマルジョン等の合成樹脂エマルジョン等の結着剤との混合物を主体とするものであり、更に所望なればポリビニルアルコール、カルボキシメチルセルロース等の安定剤、消泡剤、砂、砂利、石粉等の骨材、セメント硬化調節剤、セメント膨張剤等を配合したものであり、該モルタル接着剤は本発明では必須のものではないが、植物繊維ネットを使用する場合には、上記植物繊維ネット上面に吹付けられ、該植物繊維ネットの短時間の崩壊を防止するとともに粗面を形成して外部から飛来する種子の係留定着を補強するものである。該モルタル接着剤は上記植物繊維ネットを上側金網によって被覆する前に吹付けられてもよいが上側金網によって被覆してから吹付けられるのが好ましい。該モルタル接着剤の多量の吹付けは上記植生基盤層の表面を閉鎖して植物の発芽を阻害したり、外部から飛来する種子が該植生基盤層により係留されることをかえって妨害するので、該吹付け量は適量にされかつ点状にまぶし付けられることが望ましい。金網被覆後にモルタル接着剤を吹付ける場合には、金網の素線に薄くモルタル接着剤の被覆が出来る程度に吹付けるとともに、アンカーピン固定点に重点的に吹付けてアンカーピンと金網、更に金網と植物繊維ネットとを強固に固定し、このような固定点の複数個により植生基盤層の上面を閉鎖することなく金網を介して該植物繊維ネットあるいは植生基盤層を強固に固定することが出来る。
なお、該モルタル接着剤は前記した下側金網と地盤面との固定に用いられるものと同様なものである。
【００１５】
〔鹿忌避剤〕
本発明において該植生基盤層および／または上側植物繊維ネットおよび／または上側金網に塗布される鹿忌避剤としては、例えばポリビニルアルコール、カルボキシメチルセルロース、メチルセルロース、エチルセルロース、メトキシセルロース等の非イオン性糊剤を添加した木酢液等がある。植生基盤層に混入される鹿忌避剤は直接該植生基盤層に散布してもよいが、一般に木片、木粉、寒天、こんにゃく、ゼリー等で固定したものが使用される。また該鹿忌避剤は水溶液、有機溶剤溶液あるいは乳化液等として該上側繊維マットおよび／または上側金網に散布、浸漬塗布、スプレー塗布あるいは刷毛塗りされる。
【実施例】
【００１６】
図２〜図５は本発明の一実施例を示すものであり、図２に示すように地盤Ｇの傾斜地盤面（法面(1) ）は清掃によって浮石、ごみ等を除去され、清掃後図３に示すように該法面(1) 上には菱形金網である下側金網(2) が被覆され、該下側金網(2) は下側アンカーピン(3) により所定箇所で該法面(1) に固定されている。図４に示すように該下側金網(2) 上には土壌と種子と土壌改良剤とを主体とする混合物が吹付けられて植生基盤層(4) が形成される。図５に示すように該植生基盤層(4) 表面には亀甲金網である上側金網(5) （網目径１０mm、線径０．７mm）が被覆され、上側アンカーピン(6) により該法面(1) に固定される。
このようにして本実施例では該法面(1) は下側金網(2) により補強され、植生基盤層(4) は該下側金網(2) に保持され、上側金網(5) によって該法面(1) に固定されている。
上記構成において、植生基盤層(4) の種子が発芽し、植物の芽あるいは幼葉は該上側金網(5) を貫通して成長し、根部は地盤Ｇ中に侵入してこれを強化し、植生層が形成される。そして該上側金網(5) 上に鹿が乗ると鹿が滑って歩くことが出来なくなるから、植生層への鹿の侵入が防止される。
【００１７】
図６には本発明の他の実施例が示される。本実施例では植生基盤層(4) の上にはヤシ繊維ネット(7) （網目径２５mm）が被覆され、その上に上側金網(5) が被覆されている。本実施例では該植生基盤層(4) はヤシ繊維ネット(7) によって保護され、また外部から飛来する種子が係留される。そして植物の芽や幼葉は網目径２５mmのヤシ繊維ネット(7) を支障なく通り抜ける。
【００１８】
上記実施例は本発明を限定するものではなく、上記実施例以外例えば下側金網(2) に代えて植物繊維ネットが使用されてもよい。また上側金網(5) の上からモルタル接着剤が吹付けられてもよい。また上側金網(5) は図７に示すように植生層の周囲のみに被覆されてもよい。該上側金網(5) の網目幅ｄは５ｍである。
【産業上の利用可能性】
【００１９】
本発明は主として傾斜した地盤面の緑化に適用される。本発明によれば地盤面上に形成した植生基盤層表面に網目径１６mm以上の上側金網あるいは鹿忌避剤によって鹿の植生層への侵入が防止される。
【図面の簡単な説明】
【００２０】
【図１】上側金網の網目の説明図  図２〜図５は本発明の一実施例を示すものである。
【図２】法面清掃説明図
【図３】下側金網被覆説明図
【図４】植生基盤層形成説明図
【図５】上側金網被覆説明図
【図６】他の実施例の緑化地盤面側断面図
【図７】他の実施例の緑化地盤面正面図
【符号の説明】
【００２１】
1        地盤面（法面）
2        下側金網
3        下側アンカーピン
4        植生基盤層
5        上側金網
6        上側アンカーピン
【図１】
2005155244.tif 000003
【図２】
2005155244.tif 000004
【図３】
2005155244.tif 000005
【図４】
2005155244.tif 000006
【図５】
2005155244.tif 000007
【図６】
2005155244.tif 000008
【図７】
2005155244.tif 000009